(57)【要約】【課題】  維持電極と誘電体層との構造を改善することによって発光効率を向上させうるＰＤＰを提供する。【解決手段】  相互に対向して配置され、両者間に放電空間を形成する前面基板及び背面基板と、前記背面基板の上面にストライプ状に形成される多数のアドレス電極と、前記背面基板の上面に前記アドレス電極を覆うように形成される第１誘電体層と、前記第１誘電体層の上面に形成され前記放電空間を区画して放電セルを形成する多数の隔壁と、前記放電セルの内壁をなす前記第１誘電体層の上面及び前記隔壁の側面に形成される蛍光体層と、前記前面基板の下面に前記放電セルごとに対をなして形成され、各々が前記アドレス電極と交差する方向に形成された複数の電極からそれぞれ構成される第１及び第２維持電極と、前記前面基板の下面に前記第１及び第２維持電極を覆うように形成され、前記第１及び第２維持電極間には前記放電セル側に突出された突出部が形成された第２誘電体層と、を備えるＰＤＰ。【選択図】図４
2005158705.tif 000002
【特許請求の範囲】
【請求項１】
相互に対向して配置され、両者間に放電空間を形成する前面基板及び背面基板と、
前記背面基板の上面にストライプ状に形成される多数のアドレス電極と、
前記背面基板の上面に前記アドレス電極を覆うように形成される第１誘電体層と、
前記第１誘電体層の上面に形成され前記放電空間を区画して放電セルを形成する多数の隔壁と、
前記放電セルの内壁をなす前記第１誘電体層の上面及び前記隔壁の側面に形成される蛍光体層と、
前記前面基板の下面に前記放電セルごとに形成され、各々が前記アドレス電極と交差する方向に形成された複数の電極からそれぞれ構成される第１及び第２維持電極と、
前記前面基板の下面に前記第１及び第２維持電極を覆うように形成され、前記第１及び第２維持電極間には前記放電セル側に突出された突出部が形成された第２誘電体層と、を備えることを特徴とするプラズマディスプレイパネル。
【請求項２】
前記第１誘電体層には前記第２誘電体層の突出部に対応する位置に凹部が形成されることを特徴とする請求項１に記載のプラズマディスプレイパネル。
【請求項３】
前記凹部は前記突出部に対応する形状に形成されることを特徴とする請求項２に記載のプラズマディスプレイパネル。
【請求項４】
前記第１維持電極は相互に離隔されて形成される第１及び第２電極を含み、前記第２維持電極は相互に離隔されて形成される第３及び第４電極を含み、前記第１及び第４電極、前記第２及び第３電極は、前記第１維持電極と第２維持電極の間に位置する中心線に対して相互に対称に配置されることを特徴とする請求項１に記載のプラズマディスプレイパネル。
【請求項５】
前記第２及び第３電極は相互に隣接して配置されることを特徴とする請求項４に記載のプラズマディスプレイパネル。
【請求項６】
前記第２及び第３電極の幅は相等しく、前記第１及び第４電極の幅は相等しいことを特徴とする請求項５に記載のプラズマディスプレイパネル。
【請求項７】
前記第２及び第３電極の幅は前記第１及び第４電極の幅よりも小さいことを特徴とする請求項６に記載のプラズマディスプレイパネル。
【請求項８】
前記隔壁は前記アドレス電極と直交する方向に形成されることを特徴とする請求項１に記載のプラズマディスプレイパネル。
【請求項９】
前記第１及び第２維持電極の下面にはバス電極が形成されることを特徴とする請求項１に記載のプラズマディスプレイパネル。
【請求項１０】
前記第２誘電体層の下面には保護層が形成されることを特徴とする請求項１に記載のプラズマディスプレイパネル。
【発明の詳細な説明】
【技術分野】
【０００１】
本発明はプラズマディスプレイパネル（Ｐｌａｓｍａ  Ｄｉｓｐｌａｙ  Ｐａｎｅｌ：ＰＤＰ）に関し、より詳細には維持電極と誘電体層との構造を改善することによって発光効率を向上させうるＰＤＰに関する。
【背景技術】
【０００２】
ＰＤＰは、電気的放電を用いて画像を形成する装置であって、輝度や視野角などの表示性能に優れ、その使用が日毎に増大しつつある。このようなＰＤＰは電極に印加される直流または交流電圧によって電極間にあるガスから放電が起こり、ガス放電過程で伴われる紫外線の放射によって蛍光体が励起されて可視光を発散する。
【０００３】
前記ＰＤＰは、その放電形式によって直流型（ＤＣ  ｔｙｐｅ）と交流型（ＡＣ  ｔｙｐｅ）とに分類されうる。直流型ＰＤＰはあらゆる電極が放電空間に露出される構造であって、対応電極間に電荷の移動が直接的になされる。交流型ＰＤＰは少なくとも１つの電極が誘電体層によって取り囲まれ、対応する電極間に直接的な電荷の移動がなされない代わりに壁電荷によって放電が行われる。
【０００４】
また、ＰＤＰは電極の配置構造によって対向放電型と面放電型とに分類されうる。対向放電型ＰＤＰは対をなす２つの維持電極が各々前面基板と背面基板とに配置された構造であって、放電がパネルに垂直な方向で行われる。面放電型ＰＤＰは対をなす２つの維持電極が同じ基板上に配置された構造であって、放電が基板の一平面上で行われる。
【０００５】
ところで、前記対向放電型ＰＤＰは発光効率は高いが、プラズマにより蛍光体層が劣化しやすくなる短所があって、最近では面放電型ＰＤＰが主流をなしている。
【０００６】
図１には従来の一般的な面放電型ＰＤＰが図示されている。
【０００７】
図１を参照すれば、従来のＰＤＰは相互に対面する背面基板１０と前面基板２０とを備える。
【０００８】
背面基板１０の上面には多数のアドレス電極１１がストライプ状に配列されており、このアドレス電極１１は第１誘電体層１２により埋込められている。そして、第１誘電体層１２の上面には放電セル１４間の電気的、光学的干渉を防止するための多数の隔壁１３が相互に所定間隔をおいて形成されている。この隔壁１３により区画された放電セル１４の内面には各々赤色（Ｒ）、緑色（Ｇ）、青色（Ｂ）の蛍光体層１５が所定厚さに塗布されており、この放電セル１４内には一般にＮｅガスとＸｅガスとが混合された放電ガスが注入される。
【０００９】
前面基板２０は可視光が透過されうる透明基板であって、主にガラスよりなり、隔壁１３が備えられた背面基板１０に結合される。前面基板２０の底面には前記アドレス電極１１と直交するストライプ状の維持電極２１ａ、２１ｂが対をなして形成されている。前記維持電極２１ａ、２１ｂは、可視光が透過さるべく主にＩＴＯ（Ｉｎｄｉｕｍ  Ｔｉｎ  Ｏｘｉｄｅ）のような透明な導電性材料よりなる。そして、前記維持電極２１ａ、２１ｂのライン抵抗を減らすために、維持電極２１ａ、２１ｂそれぞれの底面には金属材質よりなるバス電極２２ａ、２２ｂが維持電極２１ａ、２１ｂよりも幅が小さくなるように形成されている。このような維持電極２１ａ、２１ｂとバス電極２２ａ、２２ｂは透明な第２誘電体層２３により埋め込められており、第２誘電体層２３の底面には保護層２４が形成されている。前記保護層２４はプラズマ粒子のスパッタリングによる第２誘電体層２３の損傷を防止し、２次電子を放出して放電電圧を低くする役割をするものであって、一般に酸化マグネシウム（ＭｇＯ）よりなる。
【００１０】
このような構成を有する従来のＰＤＰの駆動はアドレス放電のための駆動と維持放電のための駆動とに大別される。アドレス放電は、アドレス電極１１と１つの維持電極２１ａ間で起こり、この際、壁電荷が形成される。維持放電は壁電荷が形成された放電空間１４に位置する維持電極２１ａ、２１ｂ間の電位差によって起こる。この維持放電時に放電ガスより生じる紫外線によって該当放電セル１４の蛍光体層１５が励起されて可視光が発散され、この可視光が前面基板２０を通じて出射されつつユーザが認識できる画像を形成する。
【００１１】
図２及び図３は、各々前記のような構造のＰＤＰで、維持電極２１ａ、２１ｂ間の間隔が狭い場合と、維持電極２１ａ、２１ｂ間の間隔が広い場合とが図示されている。図２及び図３では、ＰＤＰの内部構造をより分かりやすくするために前面基板だけが９０゜回転された状態で図示されている。
【００１２】
まず、図２に示されたように維持電極２１ａ、２１ｂ間の間隔が狭ければ維持放電電圧は低くなるが、発光効率は落ちる短所がある。そして、図３に示されたように維持電極２１ａ、２１ｂ間の間隔が広ければ、ロングギャップ放電が誘導されて発光効率は向上するが、維持放電電圧は上昇してしまう短所がある。
【発明の開示】
【発明が解決しようとする課題】
【００１３】
本発明は、前記問題点を解決するために案出されたものであって、維持電極と誘電体層との構造を改善することによって発光効率を向上させうるＰＤＰを提供することを目的とする。
【課題を解決するための手段】
【００１４】
前記目的を達成するために、本発明に係るＰＤＰは、相互に対向して配置され、両者間に放電空間を形成する前面基板及び背面基板と、前記背面基板の上面にストライプ状に形成される多数のアドレス電極と、前記背面基板の上面に前記アドレス電極を覆うように形成される第１誘電体層と、前記第１誘電体層の上面に形成され前記放電空間を区画して放電セルを形成する多数の隔壁と、前記放電セルの内壁をなす前記第１誘電体層の上面及び前記隔壁の側面に形成される蛍光体層と、前記前面基板の下面に前記放電セルごとに形成され、各々が前記アドレス電極と交差する方向に形成された複数の電極からそれぞれ構成される第１及び第２維持電極と、前記前面基板の下面に前記第１及び第２維持電極を覆うように形成され、前記第１及び第２維持電極間には前記放電セル側に突出された突出部が形成された第２誘電体層と、を備える。
【００１５】
前記第１誘電体層には前記第２誘電体層の突出部に対応する位置に凹部が形成されることが望ましい。そして、前記凹部は、前記突出部に対応する形状に形成されることが望ましい。
【００１６】
前記第１維持電極は相互に離隔されて形成される第１及び第２電極を含み、前記第２維持電極は相互に離隔されて形成される第３及び第４電極を含み、前記第１及び第４電極、前記第２及び第３電極は、前記第１維持電極と第２維持電極の間に位置する中心線に対して相互に対称に配置されることが望ましい。
【００１７】
前記第２及び第３電極は、相互に隣接して配される。そして、前記第２及び第３電極の幅は相等しく、前記第１及び第４電極の幅は相等しく、前記第２及び第３電極の幅は前記第１及び第４電極の幅よりも小さいことが望ましい。
【００１８】
前記隔壁は前記アドレス電極と直交する方向に形成されることが望ましい。
【００１９】
前記第１及び第２維持電極の下面にはバス電極が形成されることが望ましい。
【００２０】
そして、前記第２誘電体層の下面には保護層が形成されることが望ましい。
【発明の効果】
【００２１】
本発明に係るＰＤＰによれば次のような効果がある。
【００２２】
第１に、前面基板の第２誘電体層に突出部を形成することによって、放電経路を延ばせ、これにより発光効率を向上させうる。
【００２３】
第２に、背面基板の第１誘電体層に凹部を形成することによって放電経路を均一にでき、またアドレス放電を高速で行える。
【発明を実施するための最良の形態】
【００２４】
以下、添付した図面を参照して本発明に係る望ましい実施形態を詳細に説明する。以下の図面で同じ参照符号は同じ構成要素を示す。
【００２５】
図４は、本発明の一実施形態に係るＰＤＰの内部構造を示す垂直断面図である。
【００２６】
図４を参照すれば、本発明の実施形態に係るＰＤＰは相互に離隔されて対向すべく配置される背面基板１１０及び前面基板１２０を備える。このような背面基板１１０及び前面基板１２０間の空間はプラズマ放電が起こる放電空間となる。なお、本明細書において前面基板１２０の方を「上」、背面基板１１０の方を「下」として方向を規定しているが、本発明のＰＤＰは任意の方向（姿勢）に設置される場合を含むものである。
【００２７】
前記背面基板１１０はガラス基板であって、その上面にはアドレス放電のための多数のアドレス電極１１１がストライプ状に形成される。そして、第１誘電体層１１２は前記アドレス電極１１１を覆うように前記背面基板１１０の上面に形成される。このような第１誘電体層１１２は背面基板１１０の上面に白色の誘電物質を所定厚さに塗布することによって形成されうる。
【００２８】
前記第１誘電体層１１２の上面には多数の隔壁１１３が所定間隔をおいて形成される。ここで、前記隔壁１１３は前記アドレス電極１１１と直交する方向に形成される。前記隔壁１１３は背面基板１１０と前面基板１２０間の放電空間を区画して放電セル１１４を形成する。このような隔壁１１３は隣接する放電セル１１４間に電気的、光学的干渉を防止して色純度を向上させるためのものである。そして、前記放電セル１１４を取り囲む第１誘電体層１１２の上面及び隔壁１１３の側面には各々Ｒ、Ｇ、Ｂの蛍光体層１１５が所定厚さに塗布されている。前記蛍光体層１１５はプラズマ放電によって発生した紫外線によって励起されて所定色相の可視光を放出する。前記放電セル１１４の内部にはプラズマ放電のためのガスとして一般に使われるＮｅガスと少量のＸｅガスとが混合された放電ガスが注入される。
【００２９】
前記前面基板１２０は可視光が透過されうる透明基板として主にガラス基板が使われる。前記前面基板１２０の下面には放電セル１１４毎に放電セル１１４内の維持放電のための第１及び第２維持電極１３１、１３２が対をなして形成される。前記第１維持電極１３１は前記アドレス電極１１１との交差方向に相互に離隔されて形成される第１及び第２電極１３１ｂ、１３１ａよりなり、前記第２維持電極１３２は前記アドレス電極１１１との交差方向に相互に離隔されて形成される第３及び第４電極１３２ａ、１３２ｂよりなる。ここで、前記第１及び第４電極１３１ｂ、１３２ｂ、第２及び第３電極１３１ａ、１３２ａは、第１維持電極１３１と第２維持電極１３２の間に位置する中心線に対して相互に対称に配置され、前記第２及び第３電極１３１ａ、１３２ａは、相互に隣接すべく配置される。この際、前記第２及び第３電極１３１ａ、１３２ａ、前記第１及び第４電極１３１ｂ、１３２ｂは、その幅がそれぞれ相等しく形成され、前記第２及び第３電極１３１ａ、１３２ａは、前記第１及び第４電極１３１ｂ、１３２ｂよりもその幅が小さくなるように形成される。
【００３０】
このような第１及び第２電極１３１ｂ、１３１ａ、第３及び第４電極１３２ａ、１３２ｂは、可視光が透過されるように主にＩＴＯ（Ｉｎｄｉｕｍ  Ｔｉｎ  Ｏｘｉｄｅ）のような透明な導電性材料よりなる。そして、前記第１、第２、第３及び第４電極１３１ｂ、１３１ａ、１３２ａ、１３２ｂの下面には各々金属材質よりなるバス電極１４１ｂ、１４１ａ、１４２ａ、１４２ｂが形成される。前記バス電極１４１ｂ、１４１ａ、１４２ａ、１４２ｂは、各々第１、第２、第３及び第４電極１３１ｂ、１３１ａ、１３２ａ、１３２ｂのライン抵抗を減らすための電極である。
【００３１】
このように第１維持電極１３１を第１及び第２電極１３１ｂ、１３１ａで構成し、第２維持電極１３２を第３及び第４電極１３２ａ、１３２ｂで構成して、第１及び第２維持電極１３１、１３２間に所定の電圧を印加すれば、まず相互に隣接した第２及び第３電極１３１ａ、１３２ａ間で開始放電が起こって放電電圧が低くせられ、第１及び第４電極１３１ｂ、１３２ｂ間で主放電が起こって発光効率を向上させうる。
【００３２】
前記前面基板１２０の下面には、前記第１及び第２維持電極１３１、１３２、バス電極１４１ｂ、１４１ａ、１４２ａ、１４２ｂを覆うように第２誘電体層１２３が形成される。このような第２誘電体層１２３は上部基板１２０の下面に透明な誘電物質を塗布することによって形成されうる。一方、前記誘電体層１２３には前記第１及び第２維持電極１３１、１３２間で放電セル１１４側に突出する所定形状の突出部１２３ａが形成される。ここで、前記突出部１２３ａの両側の第２誘電体層１２３は従来よりも薄く形成される。これにより、突出部１２３ａの両側にある維持電極１３１、１３２には従来よりも高電圧がかかって突出部１２３ａ上に存在する電子が突出部１２３ａの両側の第２誘電体層１２３上にさらに円滑に移動し、また放電経路も延びる。このような放電経路の延長は発光効率を向上させる。
【００３３】
前記第２誘電体層１２３の下面には保護層１２４が形成される。前記保護層１２４はプラズマ粒子のスパッタリングによる第２誘電体層１２３と第１及び第２維持電極１３１、１３２との損傷を防止し、２次電子を放出して放電電圧を低くする役割をする。このような保護層１２４は第２誘電体層１２３の下面に酸化マグネシウム（ＭｇＯ）を所定厚さに塗布することによって形成しうる。
【００３４】
上記のような構造のＰＤＰにおいて、放電セル１１４内にＮｅガスと５％のＸｅガスとを混合した放電ガスを６．６６６×１０４Ｐａ（５００ｔｏｒｒ）の圧力で充填し、各維持電極１３１、１３２に１８０Ｖの電圧を交互に印加した時、その効率は従来のＰＤＰに比べて２８．０１％向上した。
【００３５】
図５は、本発明の他の実施形態に係るＰＤＰの内部構造を示す垂直断面図である。
【００３６】
図５を参照すれば、ＰＤＰは相互に離隔されて対向すべく配置される背面基板２１０及び前面基板２２０を備える。
【００３７】
前記背面基板２１０の上面には多数のアドレス電極２１１がストライプ状に形成される。そして、前記背面基板２１０の上面には第１誘電体層２１２が前記アドレス電極２１１を覆うように形成される。一方、前記第１誘電体層２１２には後述する第２誘電体層２２３の突出部２２３ａに対応する位置に所定形状の凹部２１２ａが形成される。このような凹部２１２ａは前記突出部２２３ａと対応する形状に形成される。
【００３８】
前記第１誘電体層２１２の上面には多数の隔壁２１３が所定間隔をおいて形成される。ここで、前記隔壁２１３は前記アドレス電極２１１と直交する方向に形成される。このような隔壁２１３は背面基板２１０と前面基板２２０間の放電空間を区画して放電セル２１４を形成する。そして、前記放電セル２１４を取り囲む第１誘電体層２１２の上面及び隔壁２１３の側面にはＲ、Ｇ、Ｂの蛍光体層２１５が所定厚さに塗布される。前記放電セル２１４内には放電ガスが注入されるが、このような放電ガスとしては一般にＮｅガスと少量のＸｅガスとが混合されたガスが使われる。
【００３９】
前記前面基板２２０の下面には放電セル２１４毎に放電セル２１４内の維持放電のための第１及び第２維持電極２３１、２３２が対をなして形成される。ここで、前記第１維持電極２３１は前記アドレス電極２１１との交差方向に相互に離隔されて形成される第１及び第２電極２３１ｂ、２３１ａよりなり、前記第２維持電極２３２は前記アドレス電極２１１との交差方向に相互に離隔されて形成される第３及び第４電極２３２ａ、２３２ｂよりなる。このような第１、第２、第３及び第４電極２３１ｂ、２３１ａ、２３２ａ、２３２ｂについては前述した実施形態に記述されているので、その詳細な説明は省略する。そして、前記第１、第２、第３及び第４電極２３１ｂ、２３１ａ、２３２ａ、２３２ｂの下面には各々金属材質よりなるバス電極２４１ｂ、２４１ａ、２４２ａ、２４２ｂが形成される。
【００４０】
前記前面基板２２０の下面には前記第１及び第２維持電極２３１、２３２、バス電極２４１ｂ、２４１ａ、２４２ａ、２４２ｂを覆うように第２誘電体層２２３が形成される。前記第２誘電体層２２３には前記第１及び第２維持電極２３１、２３２間で放電セル２１４側に突出される所定形状の突出部２２３ａが形成される。ここで、前記突出部２２３ａの両側の第２誘電体層２２３は従来よりも薄く形成される。これにより、突出部２２３ａの両側にある維持電極２３１、２３２には従来よりも高電圧がかかって突出部２２３ａ上に存在する電子が突出部２２３ａの両側の第２誘電体層２２３上にさらに円滑に移動し、放電経路も延びる。
【００４１】
一方、前述したように、前記第１誘電体層２１２には前記突出部２２３ａに対応する凹部２１２ａが形成される。ここで、前記凹部２１２ａの両側の第１誘電体層２１２は従来よりも厚く形成される。これにより、凹部２１２ａの両側の第１誘電体層２１２と維持電極２３１、２３２間の距離は近くなり、その結果、より速いアドレス放電が行える。そして、前記第１誘電体層２１２には前記突出部２２３ａに対応する凹部２１２ａが形成されているので、放電経路も均一になる。
【００４２】
前記第２誘電体層２２３の下面には保護層２２４が形成される。このような保護層２２４は第２誘電体層２２３の下面にＭｇＯを所定厚さに塗布することによって形成されうる。
【００４３】
上記のような構造のＰＤＰにおいて、放電セル２１４内にＮｅガスと５％のＸｅガスとを混合した放電ガスを６．６６６×１０４Ｐａ（５００ｔｏｒｒ）の圧力で充填し、各維持電極２３１、２３２に１８０Ｖの電圧を交互に印加した時、その効率は従来のＰＤＰに比べて２８．４５％向上した。
【００４４】
以上、本発明に係る望ましい実施形態が説明されたが、これは例示的なものに過ぎず、当業者ならばこれより多様な変形及び均等な他の実施形態が可能であるという点を理解しうる。したがって、本発明の真の技術的保護範囲は特許請求の範囲により決まるべきである。
【産業上の利用可能性】
【００４５】
本発明のＰＤＰは維持電極と誘電体層との構造を改善することによって発光効率を向上させうるので、ＰＤＰが用いられるあらゆる分野に幅広く適用されうる。
【図面の簡単な説明】
【００４６】
【図１】従来のＰＤＰの一部を切断して示す斜視図である。
【図２】図１のＰＤＰの維持電極間の間隔が狭い場合を示す断面図である。
【図３】図１のＰＤＰの維持電極間の間隔が広い場合を示す断面図である。
【図４】本発明の実施形態に係るＰＤＰの内部構造を示す垂直断面図である。
【図５】本発明の他の実施形態に係るＰＤＰの内部構造を示す垂直断面図である。
【符号の説明】
【００４７】
１１０    背面基板、
１２０    前面基板、
１１１    アドレス電極、
１１２    第１誘電体層、
１１３    隔壁、
１１４    放電セル、
１１５    蛍光体層、
１３１    第１維持電極、
１３２    第２維持電極、
１３１ｂ    第１電極、
１３１ａ    第２電極、
１３２ａ    第３電極
１３２ｂ    第４電極
１４１ｂ、１４１ａ、１４２ａ、１４２ｂ    バス電極
【図１】
2005158705.tif 000003
【図２】
2005158705.tif 000004
【図３】
2005158705.tif 000005
【図４】
2005158705.tif 000006
【図５】
2005158705.tif 000007